(57)【要約】      （修正有）【課題】タンク内に内蔵されるジェットポンプユニットの構造や配置を最適化して、タンクの小型化を実現できる水洗大便器装置を提供する。【解決手段】導水路が形成された大便器本体と、内部に水を貯留しており、水を導水路の入口１３１に供給することができ、大便器本体の後方側上部に配置されたタンクと、タンクの内部に配置されたジェットポンプユニットを備え、導水路の入口１３１は大便器本体の後端部かつ左右方向の中央部に設けられ、ジェットポンプユニットは、導水路入口接続部３５３を介して導水路の入口１３１に接続され、他端に吸引口３３１が形成された逆Ｕ字形状のスロート管と、吸引口３３１からスロート管の内部に向けて高速の水を噴射することにより、ジェットポンプ作用を誘発させるノズル３１０を有し、タンク内の左右方向の一側に、ノズル３１０およびスロート管を配置し、他側にバルブユニットをスロート管と横並びになるよう配置した。【選択図】図５
2015203249.tif 000002
【特許請求の範囲】
【請求項１】
洗浄水によって汚物を排水管に排出する水洗大便器装置であって、
汚物を受け止めるボウル部を有しており、洗浄水として供給される水を前記ボウル部に導くための導水路が内部に形成された大便器本体と、
内部に水を貯留しており、当該水を前記導水路の入口に供給することができるよう、前記大便器本体の後方側上部に配置されたタンクと、
前記タンクの内部に配置されたジェットポンプユニットと、を備え、
前記導水路の入口は、前記大便器本体の後端部かつ左右方向の中央部に設けられ、
前記タンクは、前記導水路の入口を上方から覆うように設置されるとともに、前記導水路の入口と向かい合う前記タンクの底壁の中央部には開口が形成され、
前記タンク内に配置されるジェットポンプユニットは、
その一端が前記開口を貫通すると共にその一端に設けられた導水路入口接続部を介して前記導水路の入口に接続され、他端に吸引口が形成された逆Ｕ字形状のスロート管と、
前記吸引口から前記スロート管の内部に向けて高速の水を噴射することにより、ジェットポンプ作用を誘発させるノズルと、を有するものであって、
前記タンクの内部には、前記ノズルにジェットポンプ作用を誘発させる水を供給、遮断するバルブユニットと、
前記ノズルから噴射された水をスロート管側とタンク側に選択的に切換える流路切換バルブと、が配置されており、
前記タンクの左右方向は前後方向よりも長尺に形成され、
前記タンク内の左右方向の一側空間に、前記ノズルおよび前記スロート管を配置すると共に、前記タンク内の左右方向の他側空間に前記バルブユニットをスロート管と横並びになるよう配置し、
さらに、前記逆Ｕ字形状のスロート管を、前記導水路入口接続部から略鉛直上方に延びた鉛直スロート部と、該鉛直スロート部から前記吸引口に向けて直線的に斜め下方に傾斜する傾斜スロート部とで構成し、
さらに、前記吸引口が前記タンク内の一側でかつ前後方向の一方側に近接して配置されるように前記傾斜スロート部を上面視で前後方向の一方側に傾斜配置させるともに、前記ノズル及び前記流路切換バルブも前後方向の一方側に配置し、
さらに、前記ノズルの上方でかつ前記タンク内の前後方向一方側のコーナ部に流路切換用のフロートを配置したことを特徴とする水洗大便器装置。
【請求項２】
前記フロートは前記タンク内の前後方向一方側のコーナ部で、タンク内の側面と前後面の一方に渡って前記コーナ部に配置されていることを特徴とする請求項１記載の水洗大便器装置。
【請求項３】
前記傾斜スロート部の上方に形成されたデルタ空間に位置するように前記フロートを配置するとともに、前記フロートには、前記流路切換バルブの流路切換水位を調整できるよう高さ調整機構が設けられていることを特徴とする請求項２記載の水洗大便器装置。
【発明の詳細な説明】
【技術分野】
【０００１】
本発明は、洗浄水によって汚物を排水管に排出する水洗大便器装置に関する。
【背景技術】
【０００２】
従来より、水洗大便器装置のボウル部に洗浄水を供給するための方式として、高所に配置されたタンクから、タンク内に貯留された水の位置エネルギーを利用して水を供給する方式（タンク式）が知られている。
【０００３】
しかし、タンク式の水洗大便器装置において、洗浄力や汚物の排出力を確保しようとすると、ボウル部へ供給する水の水量が大きくなるため、タンクの容量を大きくせざるを得ない。したがって、タンクのサイズを大きくせざるを得ず、水洗大便器装置のデザイン性を向上させることが難しい。
【０００４】
そこで、タンクを小型化するために、近年ではジェットポンプによってボウル部に洗浄水を供給する方式の水洗大便器装置が提案されている。例えば、下記特許文献１に記載されている水洗大便器装置では、水を貯留したタンクを備えており、当該タンクの内部に、ジェットポンプユニットが水没した状態で配置されている。ジェットポンプユニットはスロート管を有しており、当該スロート管の一端はボウル部に向かう流路に接続され、他端には開口が形成されている。噴射ノズルから、開口を通じてスロート管の内部に向かうように水が噴射されると、ジェットポンプ作用が誘発されることによって、スロート管の内部ではボウル部に向かって大流量の水が流れる。
【０００５】
また、噴射ノズルから噴射された水のみならず、タンク内に貯留されていた水も引き込まれてスロート管の内部を流れるため、ボウル部には大流量で、かつ大流速で水が供給される。このように、ジェットポンプによって洗浄水を供給する方式の水洗大便器装置においては、ボウル部に供給される洗浄水の総量がタンクに貯留されていた水の量に、ノズルから噴射された水の量を加えたものと略等しい。このため、タンクに貯留しておく必要のある水の量は、従来のタンク式の場合に比べて少なくなっており、タンクを小型化することが可能となっている。また、大流量、大流速の水がボウル部に供給されるため、高い洗浄力や汚物排出力を発揮することができるため、この点でも洗浄水の総量を少なくできタンクを小型化して高いデザイン性の大便器を提供できる。
【０００６】
また、下記特許文献１に記載されている水洗大便器装置では、水洗大便器装置の全体を小型化するために、タンクを大便器本体の後方側上部に配置し、これにより水洗大便器装置の前後方向における寸法を小さくしている。この場合、水はタンクの底面から大便器本体へと供給されることとなるため、スロート管は正面視において逆Ｕ字形状となるように形成されている。
【０００７】
加えて、水洗大便器装置の前後方向における寸法をさらに小さくできるよう、スロート管を上面視で横向きに配置すると共に、スロート管をタンク内の左右方向の一側空間に配置し、他側空間にスロート管以外の部材（給水管や給水管からの水の給水／止水を切換えるフロートなど）を横並びで配置するよう構成している。このように構成された下記特許文献１に記載されている水洗大便器装置にあっては、水洗大便器の前後方向を小さくできるため、デザイン性が高く、狭いトイレ空間であっても、人が動作可能なスペースをより広く確保することができる。
【先行技術文献】
【特許文献】
【０００８】
【特許文献１】韓国登録特許第１０−０６４３５７８号公報
【発明の概要】
【発明が解決しようとする課題】
【０００９】
このように構成された特許文献１に記載されている水洗大便器装置においてもタンクの前後方向の長さを短くすることでデザイン性が高く、水洗大便器の前後長さも短縮でき狭いトイレ空間においてもトイレ空間を有効に使うことができるという優れた効果を奏することができるものである。しかしながら特許文献１の構造においてもジェットポンプ性能を高く維持しつつ、更なる小型化という視点では改良の余地が残されているものであった。現実にも、狭いトイレブースにおいては、タンクの横幅の数センチはトイレブースやトイレの洗浄性、掃除道具の格納性、大便器や給水管の施工性という面で大きな違いとして表れ、大便器の前後方向の数センチは、車椅子でのトイレブースへの乗り入れ性や回転動作の容易性に大きな違いとして現れるものである。
【００１０】
本発明は狭いトイレブースでの洗浄性、掃除道具の格納性、大便器や給水管の施工性、車椅子でのトイレブースへの乗り入れ性や回転動作の容易性を更に向上させるとともに、今までになくデザイン性の高いジェットポンプ式水洗大便器装置を提供することを目的に、タンク内に内蔵されるジェットポンプユニットの構造や配置を極限まで最適化して、極限までタンクの小型化を実現できる水洗大便器装置を提供するものである。
【課題を解決するための手段】
【００１１】
上記課題を解決するために、本発明に係る水洗大便器装置は、洗浄水によって汚物を排水管に排出する水洗大便器装置であって、汚物を受け止めるボウル部を有しており、洗浄水として供給される水を前記ボウル部に導くための導水路が内部に形成された大便器本体と、内部に水を貯留しており、当該水を前記導水路の入口に供給することができるよう、前記大便器本体の後方側上部に配置されたタンクと、前記タンクの内部に配置されたジェットポンプユニットと、を備え、前記導水路の入口は、前記大便器本体の後端部かつ左右方向の中央部に設けられ、前記タンクは、前記導水路の入口を上方から覆うように設置されるとともに、前記導水路の入口と向かい合う前記タンクの底壁の中央部には開口が形成され、前記タンク内に配置されるジェットポンプユニットは、その一端が前記開口を貫通すると共にその一端に設けられた導水路入口接続部を介して前記導水路の入口に接続され、他端に吸引口が形成された逆Ｕ字形状のスロート管と、前記吸引口から前記スロート管の内部に向けて高速の水を噴射することにより、ジェットポンプ作用を誘発させるノズルと、を有するものであって、前記タンクの内部には、前記ノズルにジェットポンプ作用を誘発させる水を供給、遮断するバルブユニットと、前記ノズルから噴射された水をスロート管側とタンク側に選択的に切換える流路切換バルブと、が配置されており、前記タンクの左右方向は前後方向よりも長尺に形成され、前記タンク内の左右方向の一側空間に、前記ノズルおよび前記スロート管を配置すると共に、前記タンク内の左右方向の他側空間に前記バルブユニットをスロート管と横並びになるよう配置し、さらに、前記逆Ｕ字形状のスロート管を、前記導水路入口接続部から略鉛直上方に延びた鉛直スロート部と、該鉛直スロート部から前記吸引口に向けて直線的に斜め下方に傾斜する傾斜スロート部とで構成し、さらに、前記吸引口が前記タンク内の一側でかつ前後方向の一方側に近接して配置されるように前記傾斜スロート部を上面視で前後方向の一方側に傾斜配置させるともに、前記ノズル及び前記流路切換バルブも前後方向の一方側に配置し、さらに、前記ノズルの上方でかつ前記タンク内の前後方向一方側のコーナ部に流路切換用のフロートを配置したことを特徴とする。
【００１２】
本発明に係る水洗大便器装置は、大便器本体の後端部かつ左右方向の中央部に導水路の入口が設けられている。さらに、この導水路の入口に、逆Ｕ字形状のスロート管の一端が、タンク底壁の中央部に形成されている開口を貫通すると共にその一端に設けられた導水路入口接続部を介して接続されている。したがって、大便器本体にスロート管接続用の導水路入口を配置するにあたっては後端部の中央に設ければ良いため大便器本体を幅方向に大きくする必要がなく大便器本体を小さくできる。また、スロート管は、ジェットポンプ性能を担保する上では十分な長さが必要になるが、スロート管の長さを長くしても導水路入口を中央にしているため大便器本体が大きくなることもない。言い変えると大便器本体に影響がないためスロート管の長さを十分に長くすることが可能となり、高いジェットポンプ性能によって高い洗浄、排水性能を担保できるため、総水量を少なくできタンクの小型化が図れるものである。
【００１３】
さらに、本発明に係る水洗大便器装置では、ノズル及び流路切換バルブも前後方向の一方側に配置した。これによってタンクの対角を使える為スロート管の長さを長くすることが可能となりジェットポンプ性能を高めることができたものである。さらにこの構造によってノズル噴射を継続したままスロート管内への供給からタンクを満水にする貯水に切換えるよう構成したため、タンク貯水用のノズルを別途設ける必要がなく、タンクの小型化が図れている。さらにノズルの上方でかつタンク内の前後方向一方側のコーナ部に流路切換用のフロートを配置したことに大きな工夫がある。すなわち、ノズルから噴射される高速の水の供給先をタンク側に切換えると、流路切換バルブに当って噴射水が飛散するが、この飛散水を止めるのに別途飛散防止プレートなどを設けるとタンクが大型化してしまうので、本発明では、タンクのコーナ壁面及びフロートという既存の機能部品を飛散水の抑制のために兼用することで、飛散水の抑制を達成したためタンクを大型化することなく実現できたものである。
【００１４】
また、本発明に係る水洗大便器装置では、前記フロートは前記タンク内の前後方向一方側のコーナ部で、タンク内の側面と前後面の一方に渡って前記コーナ部に配置されていることを特徴とする。
【００１５】
この好ましい態様では、コーナ部に渡ってフロートを配置したため、フロートの位置安定のみならず、飛散水の抑制が一層高まり、小型のタンクにしても飛散水がタンクから溢れるという問題を確実に抑制できたものである。
【００１６】
また、本発明に係る水洗大便器装置では、前記傾斜スロート部の上方に形成されたデルタ空間に位置するように前記フロートを配置するとともに、前記フロートには、前記流路切換バルブの流路切換水位を調整できるよう高さ調整機構が設けられていることを特徴とする。
【００１７】
この好ましい態様では、ジェットポンプ性能を犠牲にすることなくスロート管の形を工夫し、傾斜スロート部の上方に開放空間となるデルタ形状の空間を作った。これによって狭いタンク空間においても必要十分なフロートの位置調整を行う作業空間を作ることにも成功したものである。
【発明の効果】
【００１８】
本発明によれば、ジェットポンプによってボウル部に洗浄水を供給する方式の水洗大便器装置において、極めてジェットポンプ性能が高く、それでもってジェットポンプユニットが内蔵されたタンクを今までにないレベルで小型化できるため、狭いトイレブースでの洗浄性、掃除道具の格納性、大便器や給水管の施工性、車椅子でのトイレブースへの乗り入れ性や回転動作の容易性を極めて高いレベルで実現できる実用上優れた水洗大便器装置を提供できたものである。
【図面の簡単な説明】
【００１９】
【図１】本発明の実施形態に係る水洗大便器装置の斜視図である。
【図２】図１に示した水洗大便器装置を示す断面図である。
【図３】図１に示した水洗大便器装置の上面図である。
【図４】図１に示した水洗大便器装置のタンクの内部における構成等を示す背面図である。
【図５】図１に示した水洗大便器装置のタンクの内部における構成等を模式的に示す上面図である。
【図６】図１に示した水洗大便器装置の流路切換え機構および流路切換え動作を表す模式図である。
【図７】図１に示した水洗大便器装置のリフィール配管から水を吐水する様子を表す模式図である。
【図８】図１に示した水洗大便器装置の空気導入管を表す模式図である。
【発明を実施するための形態】
【００２０】
以下、添付図面を参照しながら本発明の実施の形態について説明する。説明の理解を容易にするため、各図面において同一の構成要素に対しては可能な限り同一の符号を付して、重複する説明は省略する。
【００２１】
本発明の実施形態に係る水洗大便器装置について、図１〜図４を参照しながら説明する。図１は水洗大便器装置ＦＴの斜視図である。また、図２は水洗大便器装置ＦＴの断面図であって、水洗大便器装置ＦＴをその左右方向に垂直な面で切断した場合の断面を示している。図３は水洗大便器装置ＦＴの上面図である。図３では、後に説明するタンク２０の内部構造を示すため、タンク２０の上蓋２０１を取り外した状態を描いている。図４は、水洗大便器装置ＦＴを後方側から見た場合における、タンク２０の内部を示す背面図である。
【００２２】
図１〜図４に示したように、水洗大便器装置ＦＴは、大便器本体１０と、大便器本体１０の後方側（図２では右側、図３では上側）において大便器本体１０の上面１０１に設置されたタンク２０とを備えている。また、大便器本体１０のタンク２０よりも前方の上面には、使用者の局部を洗浄するための局部洗浄装置２や、図示しない便座や便蓋１が設置されている。水洗大便器装置ＦＴは、大便器本体１０によって汚物を受け止めて、当該汚物を、タンク２０から供給される水（洗浄水）によって図示しない排水管に排出する装置である。
【００２３】
尚、以下の説明においては、特に断らない限り、大便器本体１０に着座した状態の使用者から見て右側（図３では左側）のことを「右側」と称し、大便器本体１０に着座した状態の使用者から見て左側のことを「左側」（図３では右側）と称することとする。また、大便器本体１０に着座した状態の使用者から見て前方側（図２では左側、図３では下側）のことを「前側」又は「前方側」と称し、大便器本体１０に着座した状態の使用者から見て後方側（図２では右側、図３では上側）のことを「後側」又は「後方側」と称することとする。
【００２４】
大便器本体１０は、ボウル部１１０と、リム部１２０と、導水路１３０と、排水トラップ管路１４０とを有している。ボウル部１１０は、上方から落下する汚物を一時的に受け止める部分である。リム部１２０は、ボウル部１１０の上縁部に形成されており、図２に示したように、ボウル部１１０の内側面の一部を外周側に向けて後退させたような形状となっている。後に説明するように、リム部１２０は、ボウル部１１０に向けて供給された水が旋回して流れる流路となっている。リム部１２０は、ボウル部１１０の上縁に沿って一周するような略円形（上面視）の流路として形成されている。
【００２５】
導水路１３０は、タンク２０から供給された水をボウル部１１０に導くために、大便器本体１０の内部に形成された流路である。導水路１３０は、その一端が大便器本体１０の上面１０１に開口しており、タンク２０から供給される水の入口１３１となっている。入口１３１が形成されている位置は、大便器本体１０の上面１０１のうち後方側の部分であり、且つ左右方向における中央の部分である。
【００２６】
導水路１３０は、その下流側において二つの流路（第一導水路１３２、第二導水路１３４）に分岐している。一方の流路である第一導水路１３２は、その下流側の端部がリム部１２０のうち右側の部分において開口しており、当該開口が水の出口１３３となっている。タンク２０から入口１３１に水が供給されると、その一部は第一導水路１３２の内部を通り、出口１３３から噴出してリム部１２０に供給される。
【００２７】
他方の流路である第二導水路１３４は、その下流側の端部がリム部１２０のうち左側且つ後方寄りの部分において開口しており、当該開口が水の出口１３５となっている。タンク２０から入口１３１に水が供給されると、その一部は第二導水路１３４の内部を通り、出口１３５から噴出してリム部１２０に供給される。
【００２８】
出口１３３から水が噴出する方向は、略円形の流路として形成されたリム部１２０の円周に沿う方向であり、且つ上面視において反時計回りの方向となっている。出口１３５から水が噴出する方向も、略円形の流路として形成されたリム部１２０の円周に沿う方向であり、且つ上面視において反時計回りの方向となっている。このため、出口１３３及び出口１３５からリム部１２０に噴出した水は、いずれもリム部１２０に沿って反時計回りに旋回して流れながら、リム部１２０の全体からボウル部１１０に向けて流下する。
【００２９】
排水トラップ管路１４０は、ボウル部１１０の下端と図示しない排水管とを接続する流路である。排水トラップ管路１４０は、ボウル部１１０の下端から下流に向かう方向に沿って上り勾配となるように形成されている上昇流路１４１と、上昇流路１４１の上端から下流に向かう方向に沿って下り勾配となるように形成されている下降流路１４２とを有している。このような構成により、ボウル部１１０の下部から上昇流路１４１の下部に渡る部分には水を貯留することが可能となっており、貯留した水によって封水ＷＴが形成されている。下降流路１４２の下端には図示しない排水管が接続されている。排水管は建物の内部に配置された配管であって、その下流側の端部が下水管に接続されている。
【００３０】
タンク２０からボウル部１１０に向けて水が供給されると、上記のように、当該水はリム部１２０を旋回して流れながら、リム部１２０の全体からボウル部１１０に向けて流下する。水はボウル部１１０に対して上方から追加され、下端部から上昇流路１４１及び下降流路１４２を通って排出される。その結果、ボウル部１１０底部に貯留されている水（封水ＷＴ）には下向きの流れが生じることとなる。
【００３１】
ボウル部１１０において一時的に受け止められていた汚物は、上方のリム部１２０から供給される水によって下方に向けて押し込まれ、ボウル部１１０の下端に向かって移動する。その後、汚物は水流によって上昇流路１４１を通り下降流路１４２に到達して、水と共に図示しない排水管に向けて落下する。
【００３２】
タンク２０は内部に水が貯留された容器であって、当該水を導水路１３０の入口１３１に供給するためのものである。タンク２０は、図４に示すように、第一タンク部２１０と、第一タンク部２１０の底壁２１１の一部を下方に伸ばすように形成された第二タンク部２２０（凹部）とを有している。第一タンク部２１０と第二タンク部２２０はいずれも略直方体の容器であって、両者の内部空間が互いに連通している。第二タンク部２２０は、第一タンク部２１０の底壁２１１のうち左側の部分に接続されている。言い換えると、第二タンク部２２０は、第一タンク部２１０の底壁２１１のうち左側の部分を下方に突出させた凹部を形成している。
【００３３】
第一タンク部２１０の底壁２１１（第二タンク部２２０よりも右側の部分）は、大便器本体１０の上面１０１のうち後方側の部分に対して上方から近接した状態となっている。具体的には、大便器本体１０の後端部１５０かつ中央部１５１の上面１０１には入口１３１が形成されているが、第一タンク部２１０の底壁２１１は、入口１３１の周囲を上方から覆うように、大便器本体１０の上面１０１に対して上方から近接した状態となっている。また、底壁２１１の中央部２１３には入口１３１と略同一形状の開口２１２が形成されており、開口２１２と入口１３１とが上面視で重なっている（図２参照）。このため、タンク２０の内部に貯留されている水は、開口２１２及び入口１３１を通って導水路１３０の内部に流入し、ボウル部１１０に向かって流れることが可能となっている。
【００３４】
大便器本体１０の左右方向の幅は、第一タンク部２１０を上記のように配置した際に、第二タンク部２２０が大便器本体１０の上面に干渉しないよう、大便器本体１０の後方に向かうにつれて小さくなるよう形成されている。言い換えると、大便器本体１０の入口１３１の左右に開放空間部を設けるよう形成されている。したがって、第二タンク部２２０の底壁２２１は、大便器本体１０の上面１０１よりも低い位置に配置されている。
【００３５】
上記のようにタンク２０が配置されることにより、タンク２０が、大便器本体１０の後端部よりも前方側に位置すると共に、タンク２０の下端部が、大便器本体１０の上面よりも下方側に位置している。その結果、水洗大便器装置ＦＴ全体の前後方向における寸法と、上下方向における寸法とが、いずれも小さくなっており、水洗大便器装置ＦＴのデザイン性が向上している。
【００３６】
また、タンク２０のうち第二タンク部２２０のみを大便器本体１０の上面よりも下方側に設置しているため、タンク２０に貯留されている水の水頭は維持されている。その結果、上記のように水洗大便器装置ＦＴ全体の小型化を実現しながらも、後に説明するジェットポンプユニット３００の性能（リム部１２０に向けて所定量及び所定流量の水を供給する性能）は維持されている。
【００３７】
次に、タンク２０の内部の構成について図４及び図５を参照しながら説明する。なお、図５は、水洗大便器装置ＦＴのタンク２０の内部を模式的に示す上面図である。タンク２０の内部には、給水管２３１と、バルブユニットＶＵと、ジェットポンプユニット３００とが配置されている。なお、本実施形態においては、バルブユニットＶＵは、主弁２３３と、パイロット弁２３４から構成されている。
【００３８】
給水管２３１は、主弁２３３に向けて水を供給するための管であって、第一タンク部２１０の底壁２１１から鉛直上方に向かって伸びるように配置されている。給水管２３１は、大便器本体１０の右側の開放空間部を経由して、タンク２０の下方から配管されている。この給水管２３１の一端はタンク２０の外部において図示しない水道管に接続されている。また、給水管２３１の他端（上端）は、タンク２０の内部において主弁２３３に下方から接続されている。給水管２３１は、タンク２０の内部のうち左右方向における中央よりも右側となる位置に配置されている。なお、タンク２０の底壁２１１の右側からは、鉛直上方に向かって伸びるように筒状のカバー２８０が設けられており、給水管２３１は、この筒状のカバー２８０内を挿通している。
【００３９】
給水管２３１の途中（水道管と主弁２３３との間）には、図示しない定流量弁が配置されている。主弁２３３が開いた状態において主弁２３３に流入する水の流量は定流量弁によって一定となり、水道管の水圧によって変動することがない。
【００４０】
主弁２３３は開閉弁であって、給水管２３１からジェットポンプユニット３００に向かう水の流路の開閉を行うものである。主弁２３３とジェットポンプユニット３００との間にはバキュームブレーカー２３５が備えられており、バキュームブレーカー２３５の上流側が負圧となって水が逆流してしまうことが防止されている。尚、上記のように給水管２３１が上方に向かって伸びており、主弁２３３とバキュームブレーカー２３５とはタンク２０内の高い位置に配置されている。このため、タンク２０が満水となった状態においても、バキュームブレーカー２３５が水没してしまうことはない。
【００４１】
主弁２３３にはパイロット弁２３４が備えられており、パイロット弁２３４の動作によって主弁２３３の開閉が切り替えられる構成となっている。パイロット弁２３４には、タンク２０の外側に配置されたフラッシュレバー２３６が、タンク２０の内部に配置された操作力伝達機構２３７を介して接続されている。また、パイロット弁２３４には、タンク２０の内部に配置されたフロート２３８が更に接続されている。パイロット弁２３４は、フロート２３８が所定の高さに至ると閉じられるようになっており、フロート２３８がその所定の高さよりも低い位置にあるときは開いた状態となるよう構成されている。
【００４２】
水洗大便器装置ＦＴの使用者によってフラッシュレバー２３６が操作されると、当該操作が操作力伝達機構２３７を介してパイロット弁２３４に伝達され、パイロット弁２３４が開かれる。これにより主弁２３３が開かれた状態となり、給水管２３１からジェットポンプユニット３００に向かって水が流れる。ジェットポンプユニット３００に向かって流れた水は、タンク２０の内部に貯留されていた水と共に洗浄水として導水路１３０に供給される。このため、タンク２０の内部における水位は次第に低下していく。
【００４３】
ボウル部１１０の洗浄が終了した後も、フロート２３８が下降した状態であるため、主弁２３３は閉じられず、給水管２３１からジェットポンプユニット３００に向かって引き続き水が流れる。ジェットポンプユニット３００に向かって流れた水はタンク２０の内部に供給されて、次回の洗浄のために貯留される。タンク２０の内部に向けた水の供給（タンク２０への注水）が行われると、タンク２０の内部における水位は次第に上昇して行く。タンク２０の内部においてパイロット弁２３４に接続されているフロート２３８は、水位の上昇に伴って上昇し、これによりパイロット弁２３４が閉じられる。パイロット弁２３４が閉じられると、主弁２３３が閉じられた状態となり、給水管２３１からジェットポンプユニット３００への水の供給が停止される。この時点においてタンク２０の内部に貯留されている水の量が、次回の洗浄のために必要な量となるように（所定の満水位となるように）、フロート２３８の配置が調整されている。
【００４４】
なお、タンク２０の側壁を挟んでフラッシュレバー２３６に隣接する位置には、操作されたフラッシュレバー２３６の角度を元の角度に戻すためのばねを内蔵したフラッシュレバー復帰機構２３２が設けられている。また、本実施形態においては、このフラッシュレバー２３６とフラッシュレバー復帰機構２３２を合わせてフラッシュレバーユニットＦＵと称することとする。
【００４５】
ジェットポンプユニット３００は、給水管２３１から供給された水によりジェットポンプ作用を誘発させ、これにより導水路１３０に向けた水の供給を行うためのものである。ジェットポンプユニット３００は、ノズル３１０と、スロート管３２０とを有している。
【００４６】
ノズル３１０は、一端がノズル給水配管２３９を介してバキュームブレーカー２３５に接続されており、他端には噴射口３１１が形成されている管である。ノズル３１０は、第二タンク部２２０の底壁２２１の近傍に配置されている。主弁２３３が開かれると、給水管２３１から供給された水はノズル給水配管２３９を流れてノズル３１０に到達し、噴射口３１１から高速の水流として噴射される。ノズル３１０は、図４および図５に示すように、第二タンク部２２０に配置されている。図４及び図５に示した状態においては、噴射口３１１はその噴射方向がスロート管３２０の内部に向けられている。より具体的には、後述するスロート管３２０の傾斜スロート部３３０の内部に向けられている。なお、ノズル給水配管２３９は、ゴム製の弾性部材からなるものであり、高い柔軟性を有している。一方、ノズル３１０は、剛性の高い樹脂製の部材からなるものである。
【００４７】
スロート管３２０は断面が円形の管であって、図２に示すように、底壁２１１に形成された開口２１２を貫通した状態でタンク２０の内部に配置されている。スロート管３２０の一端側には、導水路入口接続部３５３が設けられており、この導水路入口接続部３５３は、導水路１３０の入口１３１に直接的に接続されているのではなく、導水路１３０の入口１３１の内周面に対して所定の隙間を設けた状態で挿入されるよう接続されており、他端には開口である吸引口３３１が形成されている。なお、導水路入口接続部３５３は、導水路１３０の入口１３１に直接的に接続されていてももちろんよい。スロート管３２０は、導水路１３０の入口１３１側の部分が鉛直方向に沿っており、吸引口３３１側の部分が水平面に対して傾斜している。このため、その全体が逆Ｕ字形状となっている。図３に示したように、スロート管３２０は、上面視において前後方向に対して傾斜した状態で、タンク２０の内部に配置されている。
【００４８】
ここで、スロート管３２０の具体的な形状、及びタンク２０内における配置について更に説明する。図４に示したように、スロート管３２０は、傾斜スロート部３３０、屈曲スロート部３５２、鉛直スロート部３５１から構成されている。
【００４９】
傾斜スロート部３３０は、スロート管３２０のうち吸引口３３１側の部分であって、上記のように水平面に対して傾斜した状態で配置される部分である。傾斜スロート部３３０は、その管径が全体において略均一な円筒形状の管である。傾斜スロート部３３０の下端には、開口である吸引口３３１が形成されている。傾斜スロート部３３０は、吸引口３３１から斜め上方に向かって直線状に伸びるように形成された部分（第一直線部）ともいうことができる。
【００５０】
吸引口３３１は、その縁の全体が、傾斜スロート部３３０の中心軸に対して傾斜した面に沿うように形成されており、図４に示した状態においては、吸引口３３１の縁は水平面に沿っている。すなわち、吸引口３３１の縁はタンク内の水面と平行になっている。
【００５１】
鉛直スロート部３５１は、スロート管３２０のうち導水路入口接続部３５３側の部分である。鉛直スロート部３５１は、導水路入口接続部３５３から鉛直上方に向かって直線状に伸びている。
【００５２】
屈曲スロート部３５２は、鉛直スロート部３５１の上端から傾斜スロート部３３０に向かうように屈曲するよう構成されている。
【００５３】
本実施形態においては、タンク２０の前後方向の寸法が短くなっているため、スロート管３２０は、上面視において、その中心軸が左右方向に略沿うように配置されている。また、吸引口３３１は、タンク２０の内部のうち左側の端部近傍に配置されている。スロート管３２０及びその吸引口３３１がこのように配置されているため、タンク２０の前後方向に沿った寸法が小さくなっているにもかかわらず、ジェットポンプ作用を効率よく発生させるために必要なスロート管３２０の流路長が確保されている。
【００５４】
より具体的には、図４、図５に示すように、傾斜スロート部３３０は、その中心軸が上面視において前後方向に対して傾斜しており、背面視において水平面に対しても傾斜している。このため、タンク２０の限られた空間内において、傾斜スロート部３３０の流路長が可能な限り長く確保されている。換言すれば、スロート管３２０のうち上流側の部分である直線状の流路（屈曲スロート部３５２よりも上流側の流路）が、可能な限り長く確保されている。
【００５５】
このため、傾斜スロート部３３０の内部を流れる水は、屈曲スロート部３５２に到達するまでの間に、その流路断面における流速の分布が均一化される。その結果、水が屈曲スロート部３５２に到達した際において、流路壁面から剥離するような流れが生じたり、屈曲スロート部３５２の内部で淀み渦が発生したりすることが抑制される。スロート管３２０の形状に起因したジェットポンプ性能の低下が抑制され、スロート管３２０の内部におけるスムーズな水流が確保されている。また、上述したようにスロート管３２０が構成されているため、図４に示すように、タンク２０内には、傾斜スロート部３３０の上方にデルタ空間Ｄ（図４において一点鎖線で囲まれている空間）が形成される。このデルタ空間Ｄは、傾斜スロート部３３０の上面側とタンク２０の内壁とにより形成される空間である。また、スロート管３２０の後方側の側面とタンク２０の後方側の側壁との間には、タンクの左右方向に水が流動する流路２５５が形成されている。
【００５６】
また、図４を見れば明らかなように、スロート管３２０は、鉛直スロート部３５１（第二直線部）の中心軸が鉛直方向に対してなす角度（本実施形態では０度である）が、傾斜スロート部３３０（第一直線部）の中心軸が鉛直方向に対してなす角度よりも小さくなるように、タンク２０内に配置されている。
【００５７】
このような構成により、前後方向に沿った長さに関しては、傾斜スロート部３３０（第一直線部）の長さの方が、鉛直スロート部３５１（第二直線部）の長さよりも長くなっている。このため、タンク２０内の限られた空間の大部分を、ジェットポンプ作用を効率よく発生させるために必要な傾斜スロート部３３０の長さを確保するための空間として有効に利用している。すなわち、スロート管３２０の全体を小型のタンク２０内に配置する構成としながらも、傾斜スロート部３３０（第一直線部）の長さを十分に確保している。
【００５８】
このため、傾斜スロート部３３０の内部を流れる水の流路断面における流速の分布は、屈曲スロート部３５２に到達するまでの間に十分に均一化されるので、スロート管３２０の内部で淀み渦が発生することや、スロート管３２０の内面が局所的な高速水流に干渉することが抑制される。その結果、スロート管３２０内において水流が受ける抵抗が抑制され、ジェットポンプ作用の効率の低下が抑制されるため、効率よく流量を増大させて導水路１３０に水を供給することが可能となっている。
【００５９】
また、吸引口３３１は第二タンク部２２０の内部に配置されている。その結果、傾斜スロート部３３０の下端である吸引口３３１は、上面視において第二タンク部２２０と重なる位置に配置されている。換言すれば、吸引口３３１の下方側において、タンク２０の底壁の一部が下方に伸ばされた形状となっている。
【００６０】
このような構成であるから、吸引口３３１をより下方に配置して、傾斜スロート部３３０（第一直線部）の長さを更に十分に確保することが可能となっている。また、タンク２０内のうち吸引口３３１よりも下方側の空間にはノズル３１０が配置されるのであるが、第二タンク部２２０の内部をそのための空間として利用している。換言すれば、吸引口３３１の下方にノズルを配置することのために、傾斜スロート部３３０（第一直線部）を短くしなくてもよい構成となっている。
【００６１】
尚、本実施形態では、吸引口３３１を第二タンク部２２０の内部に配置しているが、第二タンク部２２０の上端よりも高い位置に吸引口３３１を配置してもよい。この場合であっても、吸引口３３１を、上面視において第二タンク部２２０と重なる位置に配置した方が望ましい。
【００６２】
吸引口３３１はその縁の全体が水平面に沿うように形成されている。このような形状の縁を有する吸引口３３１は、スロート管３２０の端部を水平面に沿って切断した場合において形成されるような開口、ということができる。
【００６３】
このように形成された吸引口３３１においては、その縁の上端の高さと縁の下端の高さとが同じということになるから、両者の間に挟まれた空間、すなわち、ノズル３１０を配置することができないにもかかわらず無駄水を蓄えてしまう空間が存在しない。従って、ノズル３１０の近傍にまで吸引口３３１の上端が近づくように、傾斜スロート部３３０を下方に伸ばすことができる。その結果、タンク２０が小型化されているにも拘わらず、タンク２０内に貯留された水の大部分を洗浄水として有効に利用して（無駄水の量を少なくして）、ジェットポンプ作用の発生時間を十分に確保し、高い洗浄性能を発揮することが可能となっている。
【００６４】
また、吸引口３３１を上記のように形成することにより、吸引口３３１からスロート管３２０の内部に空気が流入することを防止しながら、タンク２０の内部に貯留されている水の水位を吸引口３３１の近傍まで低下させることが可能となっている。タンク２０の内部に貯留されていた水が無駄なく利用されるため、タンク２０を更に小型化することが可能となっている。
【００６５】
また、図４に示すように、スロート管３２０は、傾斜スロート部３３０の上方に、スロート管３２０内部を水が流れているときに、スロート管３２０内部にスロート管３２０外部から空気を導入するための空気導入管３４０（供給流量低減バルブ）を有している。空気導入管３４０は、スロート管３２０を通してタンク２０内の水をボウル部１１０に供給する際に、供給する洗浄水の流量を、洗浄水供給時に途中から一気に低減させるためのものである。
【００６６】
このように、空気導入管３４０を設けることで、ボウル部１１０へ洗浄水を供給する際に、タンク２０内の水位が空気導入管３４０の上方に設けられた空気導入孔３４１を下回ると、洗浄水が流れているスロート管３２０内部に、スロート管３２０内の水の流れにより空気が空気導入孔３４１から吸い込まれ、洗浄水の供給途中から洗浄水の供給流量を一気に低下させることができる。
【００６７】
なお、空気導入管３４０は、空気を吸い込み始める水位を変更させることができるよう、空気吸込水位調整機構３４８を備えている。さらに、空気導入管３４０は、吸い込む空気の流量を調整させることができるよう、吸込空気流量調整機構３４９を備えている。具体的には、図８に示すように、空気導入管３４０は、円筒状の第一円筒管３４２と、第二円筒管３４３と、蓋体３４５から構成されており、第二円筒管３４３には、その側面に空気導入孔３４１が穿設されている。第二円筒管３４３の下方側の内周面、および、傾斜スロート部３３０の上面より上方に延設された第一円筒管３４２の上方側の外周面にはそれぞれネジが切ってあり、第二円筒管３４３は第一円筒管３４２に螺合して固定されている。したがって、第二円筒管３４３を第一円筒管３４２に対して回転させ、第二円筒管３４３を上下方向に移動させることができ、これにより第二円筒管３４３の空気導入孔３４１の高さを調整できるようにしている。このように空気導入孔３４１の高さを調整できるようにすることで、空気を吸い込み始める水位を変更可能に構成されている。
【００６８】
また、第二円筒管３４３の上部には、下方に円筒状に延びる挿入部３４５ｂを有する蓋体３４５が、その挿入部３４５を第二円筒管３４３に挿入した形で取り付けられている。蓋体３４５の挿入部３４５ｂには、切欠き３４５ｃが設けられており、この切欠き３４５ｃと第二円筒管３４３の空気導入孔３４１を連通させることで、空気導入管３４０には、空気導入孔３４１から空気を導入することができる。なお、蓋体３４５の上部に設けられた摘み部３４５ａを摘まんで回転させることで、切欠き３４５ｃと空気導入孔３４１との重複面積を変化させ、空気の吸い込み流量を調整できるように構成している。
【００６９】
また、水洗大便器装置ＦＴは、スロート管３２０の吸引口３３１の下方に、流路切換え機構３９０を備えている。図６は流路切換え機構３９０および流路切換え動作を模式的に表す模式図である。図４および図６に示すように、流路切換え機構３９０はフロート３９１および遮蔽部材３９２（流路切換バルブ）を有している。遮蔽部材３９２は、ノズル３１０に軸支されており、回転軸３９３回りに回動可能なように構成されている。また、フロート３９１は、図５に示すように、タンク２０の前方側の側壁と右側の側壁によって形成されるコーナー部２７０に配置されると共に、遮蔽部材３９２に連結部材３９４を介して接続されている。流路切換え機構３９０は、タンク２０の水位に応じたフロート３９１の動作に基づいて、ノズル３１０の噴射口３１１から噴射された水がスロート管３２０の内部に向かう状態と、当該水がタンク２０内に供給される状態（タンク２０に注水される状態）と、を切り換えるように構成されている。
【００７０】
流路切換え機構３９０は、ボウル部１１０への水の供給が行われている際（ジェットポンプ作用が生じている際）において、タンク２０内の水位が所定の切り替え水位まで低下した時点で、噴射口３１１から噴射された水の供給先を、スロート管３２０の内部からタンク２０内へと切り替えられるように構成されている。すなわち、タンク２０内の水位が切り替え水位を上回っている間は、図６（Ａ）に示すように、スロート管３２０への注水を行い、タンク２０内の水位が切り替え水位まで低下した時点で、ジェットポンプ作用を停止させ、図６（Ｂ）に示すように、タンク２０への注水を開始するように構成されている。具体的には、タンク２０内の水位の低下に伴って、フロート３９１の高さも低下していくため、フロート３９１が低下することによって、連結部材３９４も下降し、これに伴って、連結部材３９４に連結されている遮蔽部材３９２が回転軸３９３を中心に回転する。この回転によって、遮蔽部材３９２が噴射口３１１とスロート管３２０の吸引口３３１との間に位置し、ノズル３１０の噴射口３１１から噴射された水が、遮蔽部材３９２に衝突して、タンク２０内に水が供給される状態（タンク２０に注水される状態）に切り換わるように構成されている。
【００７１】
なお、遮蔽部材３９２は、タンク２０内への水の供給が完了するまで、すなわち、既に説明したように、タンク２０内の水位が上昇して満水位となり、パイロット弁２３４及び主弁２３３が閉じられた状態となって、給水管２３１からジェットポンプユニット３００への水の供給が停止されるまで、上記の位置をノズル３１０から噴射される高速の水の反力により保持するように構成されている。なお、噴射口３１１からの水の噴射が停止された後は、タンク２０内の水から受ける浮力により、フロート３９１が上昇して元の高さに戻り、水洗大便器装置ＦＴは待機状態となる。なお、噴射口３１１から噴射された水は、図６に示すように、遮蔽部材３９２に衝突した後に、第二タンク部２２０の内側側壁２２０ａ（タンクの中央側の側面）を指向するよう遮蔽部材３９２は構成されている。
【００７２】
また、フロート３９１は、高さ調整機構を有しており、連結部材３９４に対して、高さ調整が可能に固定されている。具体的には、連結部材３９４には、外周面にネジが切ってある回転棒３９５が鉛直方向に延びるように取り付けられており、この回転棒３９５と、内周面にネジが切ってあるフロート３９１を螺合させることで、連結部材３９４に対してフロート３９１を固定している。このように構成することにより、回転棒３９５の摘み部３９６を摘まんで回転棒３９５を回転させることで、フロート３９１の高さを調整できるようにしている。このように、フロート３９１の高さ調整を可能にしたことで、スロート管３３０への給水からタンク給水に切換えるタンク内の水位を変更することができる。したがって、１回の洗浄においてボウル部１１０へ供給する水の水量を変更することができる。
【００７３】
なお、摘み部３９６は、タンク２０の上方から操作できるように配置されているため、タンク２０内にジェットポンプユニット３００等を配置した状態でも、フロート３９１の高さ調整ができる。そのため、タンク２０を小型にしたとしても、高さ調整のためにジェットポンプユニット３００等を取り外すなどの煩雑な作業をせずに、ボウル部１１０へ供給する水の水量を変更することができる。
【００７４】
なお、図６における二点鎖線は、一部の図示が省略されているノズル給水配管２３９の中心軸を表すものである。第二タンク部２２０内部のノズル給水配管２３９は、第二タンク部２２０の後面、第二タンク部２２０のタンク２０の中央側とは反対側の側面２２０ｂ、および第二タンク部２２０の前面に沿って配置されている。
【００７５】
タンク２０の内部におけるその他の構成について、再び図４および図５を参照しながら説明する。図４および図５に示したように、タンク２０内部の前方側には隔壁２４０が配置されている。隔壁２４０は、底壁２１１から上方に向かって伸びるように形成されている。隔壁２４０及び第一タンク部２１０の底壁２１１によって、タンク２０の内部空間の一部が区画され、小タンク２６０が構成されている。小タンク２６０は、その上部がタンク２０の内部に開放された容器であって、第一タンク部２１０のうち前方側且つ右側の隅に配置されている。
【００７６】
隔壁２４０のうち、後方側の隔壁２４０ａの下端部近傍には開閉窓２４１が設けられている。開閉窓２４１は通常は開かれた状態となっており、開閉窓２４１を通じて小タンク２６０の内部と外部（隔壁２４０ａよりも後方側の空間）とが連通している。このため、ボウル部１１０の洗浄が行われていない状態（待機状態）においては、タンク２０内に貯留された水の水位と、小タンク２６０内に貯留された水の水位は等しくなっている。
【００７７】
フラッシュレバー２３６は二つの方向（大方向、小方向）に操作することが可能となっている。フラッシュレバー２３６が大方向に操作された場合には、開閉窓２４１が開かれた状態のまま、パイロット弁２３４及び主弁２３３が開かれる。小タンク２６０に貯留されていた水は、開閉窓２４１を通過して第二タンク部２２０に流出し、吸引口３３１に到達する。このため、タンク２０の内部に貯留されていた水は、小タンク２６０に貯留されていた分を含む殆どが、スロート管３２０の内部に引き込まれてリム部１２０に供給される。
【００７８】
一方、フラッシュレバー２３６が小方向に操作された場合には、開閉窓２４１が閉じられると同時にパイロット弁２３４及び主弁２３３が開かれる。このため、タンク２０の内部に貯留されていた水のうち小タンク２６０に貯留されていた水は、開閉窓２４１を通過することができずに小タンク２６０の内部に残留したままとなる。その結果、洗浄水としてリム部１２０に供給される水の量は少量となる。なお、開閉窓２４１は、隔壁２４０ａ内面にその下端部の両端が軸支された板状部材２４２（水量切換バルブ）によって開閉されるものであり、この板状部材２４２は、小タンク２６０の前方側に回転するよう構成されている。そのため、開閉窓２４１が開状態にあるときに、隔壁２４０ａよりも後方側に配置された他の部材と板状部材２４２が干渉することがないため、他部材の配置自由度が高まり、タンクを小型化することができる。
【００７９】
尚、以下の説明において「タンク２０に貯留されている水の水位」又は「タンク２０内の水位」等というときには、小タンク２６０の外部における水位を示すものとする。すなわち、隔壁２４０によって二つに分けられた空間のうち、吸引口３３１が配置されている方の空間に貯留されている水の水位を示すものとする。小タンク２６０に貯留されている水の水位については、以下の説明では考慮しない。
【００８０】
また、水洗大便器装置ＦＴは、オーバーフロー管２５３を備えている。オーバーフロー管２５３は、スロート管３２０の鉛直スロート部３５１の一部の側面を覆うようにして、スロート管３２０と一体に形成されている。したがって、オーバーフロー管２５３の下端側の開口は、スロート管３２０の鉛直スロート部３５１の下端側の開口と隣接するように構成されている（図７参照）。スロート管３２０の鉛直スロート部３５１の下端部とオーバーフロー管２５３の下端部は、タンク２０の開口２１２を貫通するように配置されているため、オーバーフロー管２５３の上端のオーバーフロー孔２５４から流入した水は、導水路１３０を経て、ボウル部１１０へ供給される。
【００８１】
水洗大便器装置ＦＴは、このようにオーバーフロー管２５３を備えているため、タンク２０内に水を注水しているときにパイロット弁２３４などが破損し、注水が止まらなくなった場合でも、タンク２０内の水位がオーバーフロー管２５３の上端まで上昇すると、オーバーフロー管２５３の上端のオーバーフロー孔２５４にタンク２０内の水が流入し、タンク２０内の水位がそれ以上上昇しない。したがって、タンク２０内の水位がタンク２０の上端近傍まで上昇し、タンク２０と上蓋２０１の間から水が漏れ出るようなことがない。
【００８２】
また、水洗大便器装置ＦＴは、リフィール水供給機構を備えている。リフィール水供給機構は、ノズル給水配管２３９から分岐したリフィール配管２５０から構成されている。リフィール配管２５０の端部２５０ａには、リフィール水を吐水する吐水口２５１が設けられており、吐水口２５１は、オーバーフロー管２５３のオーバーフロー孔２５４に向けて水を吐出するよう構成されている。リフィール水は、ノズル給水配管２３９に水が供給されている間は、リフィール配管２５０を経て、常にボウル部１１０へ供給されるようになっている。すなわち、ボウル部１１０への水を供給してからタンク２０内への水の注水が完了するまで、常にリフィール水はボウル部１１０へ供給されるよう構成されている。これにより洗浄完了後に確実に所望量の封水ＷＴを形成することができる。
【００８３】
なお、リフィール配管２５０は、吐水口２５１から吐水された水をオーバーフロー孔２５４以外にも供給できるように構成されている。具体的には、吐水口２５１から吐水された水をタンク２０内へ供給するよう、リフィール配管２５０の端部２５０ａの位置を変化させることができるように構成されている。図７は、吐水口２５１から水を吐水する様子を模式的に表した模式図であり、図７（Ａ）は、吐水口２５１から吐水される水をオーバーフロー管２５３に供給する際の様子を、図７（Ｂ）は、タンク２に供給する際の様子を表すものである。本実施形態では、スロート管３２０に固定された取付部２５０ｃにリフィール配管２５０に設けられた回転軸２５０ｂを回動可能に取付けており、これらの図に示すように、リフィール配管２５０の端部２５０ａを回転軸２５０ｂ回りに回転させて端部２５０ａの位置を変化させることで、吐水口２５１から吐水される水の供給先を変更することができる。水洗大便器はその種類によって、リフィール水の供給が必要なものもあれば不要なものもあるが、このようにリフィール配管２５０の吐水口２５１から吐水される水の供給先を選択できるようにしたことで、水洗大便器の種類に応じて、異なる構造にする必要がない。
【００８４】
続いて、タンク２０の小型化を実現するための工夫について説明する。水洗大便器装置ＦＴでは、図４に示すように、スロート管３２０は、上面視においてタンク２０の左右方向となるように配置されている。このように、上面視においてスロート管３２０をタンク２０の左右方向に延びるように配置することで、ジェットポンプユニット３００の性能を犠牲にすることなくタンクを小型化している。さらに、水洗大便器装置ＦＴでは、スロート管３２０のうち吸引口３３１側の部分（傾斜スロート部３３０）が、上面視及び側面視のいずれにおいても傾斜した状態でタンク２０の内部に配置されている。具体的には、側面視においては、当該部分は吸引口３３１に向かって下るように傾斜した状態となっている。また、上面視においては、当該部分は前後方向に対して傾斜した状態となっている。
【００８５】
スロート管３２０をこのような状態でタンク内に配置することにより、タンク２０を大型化することなく、ジェットポンプ作用を効率的に発生させるために必要な（略直線状の）流路長を確保している。このように、水洗大便器装置ＦＴでは、スロート管３２０の配置を工夫することにより、ジェットポンプユニット３００の性能を犠牲にすることなくタンクを小型化している。
【００８６】
吸引口３３１は、上面視において大便器本体１０と重ならない位置に配置されている。吸引口３３１の下方にはノズル３１０及び第二タンク部２２０の底壁２２１が存在するが、その更に下方には大便器本体１０は存在しない。このため、底壁２２１のうちノズルの下方部分の形状が大便器本体１０のために制約されることは無く、ノズル３１０を配置するために適切な形状とすることが可能となっている。例えば、本実施形態では、底壁２２１が大便器本体１０の上面１０１よりも低い位置となるように、タンク２０の一部を下方に伸ばしている。このように、タンク２０の上端位置を高くすることなく、吸引口３３１と底壁２２１との間に広い空間を確保してノズル３１０を配置している。その結果、タンク２０の大型化が抑制されている。また、傾斜スロート部３３０の下端（吸引口３３１）を第二タンク部２２０の内部に配置することにより、傾斜スロート部３３０の流路長を確保している。このような構成によっても、ジェットポンプユニット３００の性能を向上させている。
【００８７】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００８８】
１０：大便器本体
１０１：上面
１１０：ボウル部
１２０：リム部
１３０：導水路
１３１：入口
１３２：第一導水路
１３３：出口
１３４：第二導水路
１３５：出口
１４０：排水トラップ管路
１４１：上昇流路
１４２：下降流路
１５０：後端部
１５１：中央部
２０：タンク
２０１：上蓋
２１０：第一タンク部
２１１：底壁
２１２：開口
２１３：中央部
２２０：第二タンク部（凹部）
２２１：底壁
２３１：給水管
２３３：主弁
２３４：パイロット弁
２３５：バキュームブレーカー
２３６：フラッシュレバー
２３７：操作力伝達機構
２３８：フロート
２３９：ノズル給水配管
２４０：隔壁
２４１：開閉窓
２４２：板状部材（水量切換バルブ）
２５０：リフィール配管
２５０ａ：端部
２５４：オーバーフロー孔
２５５：流路
２６０：小タンク
２７０：コーナー部
３００：ジェットポンプユニット
３１０：ノズル
３１１：噴射口
３２０：スロート管
３３０：傾斜スロート部
３３１：吸引口
３４０：空気導入管（供給流量低減バルブ）
３４８：空気吸込水位調整機構
３４９：吸込空気流量調整機構
３５１：鉛直スロート部
３５２：屈曲スロート部
３５３：導水路入口接続部
３９０：流路切換え機構
３９１：フロート
３９２：遮蔽部材（流路切換バルブ）
ＦＴ：水洗大便器装置
D：デルタ空間
【図１】
2015203249.tif 000003
【図２】
2015203249.tif 000004
【図３】
2015203249.tif 000005
【図４】
2015203249.tif 000006
【図５】
2015203249.tif 000007
【図６】
2015203249.tif 000008
【図７】
2015203249.tif 000009
【図８】
2015203249.tif 000010